(57)【要約】【課題】小型かつモアレが少ない高画質電子撮像装置に関し、斜入射系＋ＬＰＦ使用すると、軸上〜周辺でのカットオフ周波数がシフトする。【解決手段】光学系とＬＰＦ、および電子撮像素子を有し、少なくとも以下の条件式（１）、および（２）を満足する制御手段を有することを特徴とする。  ｜α｜＞３０°・・・（１）  ０．０５＜｜Ｔｐ−Ｔｓ｜＜０．９０・・・（２）  ここで、αは電子撮像素子とりこみ角度（軸上感度閾値８０％）、Ｔｐ・Ｔｓはそれぞれ撮像素子の対角周辺領域に入射するｄ線の透過Ｐ・Ｓ成分とする。またＰ・Ｓ成分とは、各々入射平面に対して平行、垂直方向に振動する偏光成分をあらわす。【選択図】図１
2018189868.tif 000002
【特許請求の範囲】
【請求項１】
光学系と複屈折板（以後ＬＰＦ）、および電子撮像素子を有し、
少なくとも以下の条件式（１）、および（２）を満足する制御手段を有することを特徴とする電子撮像装置。
｜α｜＞３０°・・・（１）
０．０５＜｜Ｔｐ−Ｔｓ｜＜０．９０・・・（２）
ここで、αは電子撮像素子とりこみ角度（軸上感度閾値８０％）、Ｔｐ・Ｔｓはそれぞれ撮像素子の対角周辺領域に入射するｄ線の透過Ｐ・Ｓ成分とする。またＰ・Ｓ成分とは、各々入射平面に対して平行、垂直方向に振動する偏光成分をあらわす。
【請求項２】
前記制御手段は、高／低屈折率層を交互に複数積層した透過抑制膜であることを特徴とする請求項１に記載の電子撮像装置。
Ｎｈ＞２．０・・・（３）
Ｎｌ＜１．７・・・（４）
ここで、ＮｈおよびＮｌはそれぞれ５５０ｎｍにおける、上記積層膜の高／低屈折率層の屈折率を表わす。
【請求項３】
前記制御手段は、電子撮像素子の領域ごとに透過する振動面を制御できる偏光子であることを特徴とする請求項１に記載の電子撮像装置。
【請求項４】
前記透過抑制膜を構成する層数をＬとしたとき、以下の条件式を満足する請求項２に記載の電子撮像装置。
１５＜Ｌ＜４０・・・（５）
【請求項５】
前記偏光子は、撮像素子中心と周辺部において受光される光束についての検光方位角差Δとしたとき、以下の条件式を満足する請求項３に記載の電子撮像装置。
１０°＜｜Δ｜＜４０°・・・（６）
【請求項６】
前記電子撮像装置は光学系を備えており、最終負レンズ群を有し、前記負レンズ群および望遠端焦点距離をそれぞれ、ｆｎ、ｆｔとすると
以下の条件式を満足する請求項１に記載の電子撮像装置。
０．０５＜｜ｆｎ／ｆｔ｜＜０．４０・・・（７）
【請求項７】
前記光学系に関して、開口絞りは前記最終負レンズ群に隣接して配置されていることを特徴とする請求項１に記載の電子撮像装置。
【発明の詳細な説明】
【技術分野】
【０００１】
本発明は、広い角度範囲の光線を取り込める撮像素子により、光学系撮影長等の小型化が可能な電子撮像装置に関するもので、ローパスフィルタ（以後、ＬＰＦ）などの複屈折板による画像劣化が少ない、特にデジタルカメラに好適なものである。
【背景技術】
【０００２】
近年、デジタルカメラやビデオカメラに搭載される電子撮像素子については、大判化が進んできており、この結果光学系についてはより小型であることが求められている。例えば、電子撮像装置の小型化を実現するために、特に光学系について各レンズ群の屈折力を強く設定することが必要であり、特に最終レンズ群などの屈折力を高くすることで、変倍時のストロークを低減して小型化することが知られている。
【０００３】
一方、カメラなどの撮像光学系に配置されるＬＰＦについて、凸レンズ形状化により領域毎に厚みを変えて分離特性を可変にしたものが開示されている（特許文献１）。また、広い角度を取り込める電子撮像素子については、以下のような開示がある（特許文献２）。
【先行技術文献】
【特許文献】
【０００４】
【特許文献１】特開２００８−０７６６９１号公報
【特許文献２】特開２０１０−６７８２８号公報
【発明の概要】
【発明が解決しようとする課題】
【０００５】
一般に、ＬＰＦは電子撮像素子などの周期的に画像情報をサンプリングする場合に発生するモアレ現象を抑制するために、撮像レンズの結像特性のうち高周波側レスポンス（ＭＴＦ特性）を抑制するために採用される。
【０００６】
特許文献１では、ＬＰＦを凸レンズ化して分離特性を領域毎に変えた例が開示されているが、撮像素子および透過率制御手段に関する開示はなく、本願とは手段が異なるものであり、また光学系も像面側瞳位置が撮像面に対して遠く、十分に小型化できていない。
【０００７】
特許文献２には、比較的広い角度範囲を取り込む電子撮像素子の例が開示されているが、ＬＰＦに関する開示など、言及されていない。
【０００８】
またいずれの文献についても、光学系から電子撮像素子・ＬＰＦに対して斜めに入射する光によりカットオフ周波数が低周波側にシフトすることによる弊害等については言及されていない。特許文献１〜２を組み合わせたとしても、本願発明内容を容易に発想できるものではない。
【０００９】
図１を用いて、詳しく以下に説明する。簡易評価のため波長についてはｄ線評価とし、収差影響を除くため理想レンズを用いることとする。本電子撮像装置１００は、理想レンズ１０１（半画角ω＝０〜４４°）を通過した光が複屈折板（ＬＰＦ）１０２を順次透過して電子撮像素子１０の受光面に結像するよう構成されている。ＬＰＦについては、結晶軸方位を４５°傾けた水晶板を想定しており、この水晶板によってＹ（図の上下）方向に常および異常光線が分離するものである。
【００１０】
ＬＰＦに水晶を使用した場合のＭＴＦ周波数（Ｙ断面光束）特性を図２に示す。水晶を使用したこの例の場合は、光学系の軸上から周辺画角にむかうにつれてカットオフ周波数が９５→約７５本／ｍｍまで落ちている。これは、ＬＰＦに対して軸上に対して斜めに光束が入射することに起因して、分離特性が変動しているためである。
【００１１】
本願は、このように光学系からの光線を受けて、ＬＰＦによる光軸上と軸外周辺部との分離幅変化の課題に対する解決手段、具体的にはＬＰＦ分離偏光成分の透過率特性を制御する手法を提案するものである。
【００１２】
電子撮像素子については以下のような構成としている。図３に示すように、電子撮像素子１０は、半導体回路基板１１と、半導体回路基板上に二次元アレイ状に形成された複数の画素電極（下部電極）１２と、複数の画素電極上に連続し形成された有機材料からなる光電変換層１３を有する。
【００１３】
さらに、光電変換層上に形成された、複数の画素電極に対向する対向電極であり、単一層として設けられた共通電極（上部電極）１４とを備えている。また、上部電極の上には透明な絶縁層１５が積層されており、この絶縁層上に、２色以上（本実施形態においては３色）のカラーフィルタ１６ｒ、１６ｇ、１６ｂを有する。
【００１４】
さらに各色のカラーフィルタ１６ｒ、１６ｇ、１６ｂを隔てて分離する透明な分離壁１７とからなるカラーフィルタ層ＣＦが設けられ、さらにカラーフィルタ層ＣＦ上には低反射層１８が設けられている。以下、各構成要素についての詳細を説明する。
【００１５】
（半導体回路基板）
半導体回路基板１１は、ｎ型シリコン基板１（以下、単に基板１とする。）の表面にｐ型のウェル領域２を備え、ウェル領域にはｎ型の不純物拡散領域３が複数形成されている。不純物拡散領域は、回路基板上に形成される画素電極と対応して二次元アレイ状に形成されている。また、ウェル領域の表面において、不純物拡散領域の近傍には、該不純物拡散領域に蓄積した電荷に応じた信号を出力する信号読出し部４が設けられている。信号読出し部は、不純物拡散領域に蓄積された電荷を電圧信号に変換して出力する回路であって、例えば公知のＣＣＤやＣＭＯＳ回路によって構成することができる。さらに、基板のウェル領域が形成された表面上に絶縁層５が積層されている。
【００１６】
絶縁層の上には、平面視略矩形状の画素電極が複数、所定の間隔で配列形成されている。各画素電極は、絶縁層を貫通するように形成された導電性材料からなる接続部６を介して、基板の不純物拡散領域に電気的に接続されている。
【００１７】
電子撮像素子は、光電変換層に光が入射されると、光電変換層で発生した電荷（正孔及び電子）のうち、例えば、正孔を上部電極に移動させ、電子を下部電極に移動させるように、下部電極及び上部電極間には、図示しない電圧供給部によってバイアス電圧が印加される。この場合、上部電極を正孔捕集電極とし、下部電極を電子捕集電極としている。
【００１８】
（電極）
上部電極及び下部電極は、光電変換層との密着性や、電子親和力や、イオン化ポテンシャル、安定性等を考慮して選ばれる。上部電極及び下部電極の作製には、その材料によって種々の方法が用いられるが、例えばＩＴＯの場合、電子ビーム法、スパッタリング法、抵抗加熱蒸着法、化学反応法（ゾルーゲル法など）、酸化インジウムスズの分散物の塗布などの方法で膜形成される。上部電極は、光電変換層に光を入射させる必要があるため、透明な導電性材料で構成されている。ここで、透明電極材料は、例えば波長が約４２０ｎｍ〜約６６０ｎｍの範囲の可視光域で約８０％以上の透過率であるものが好ましい。
【００１９】
上部電極の具体的な材料としては、例えば、酸化スズ、酸化亜鉛、酸化インジウム、酸化インジウムスズ（ＩＴＯ）等の導電性金属酸化物、あるいは金、銀、クロム、ニッケル等の金属がある。
【００２０】
さらにこれらの金属と導電性金属酸化物との混合物または積層物、ヨウ化銅、硫化銅などの無機導電性物質、ポリアニリン、ポリチオフェン、ポリピロールなどの有機導電性材料、シリコン化合物およびこれらとＩＴＯとの積層物などが挙げられる。好ましくは、導電性の金属酸化物であり、特に、生産性、高導電性、透明性等の点からＩＴＯ、ＺｎＯ、ＩｎＯ、が好ましい。
【００２１】
下部電極は、導電性材料であればよく、透明である必要はない。しかし、下部電極の下方の基板側にも光を透過させることが必要である場合には、下部電極も透明電極材料で構成することが必要となる。このとき、下部電極の透明電極材料としては、上部電極と同様に、ＩＴＯを用いることが好ましい。
【００２２】
（光電変換層）
有機材料による光電変換層は、厚みが０．１μｍから１．０μｍの範囲となるように成膜されている。光電変換層の層厚は薄いほどイメージセンサの混色には有効となるが、光吸収とのトレードオフがあり、実質的には０．５μｍ程度が望ましい。光電変換層を構成する材料としては、例えば電子写真の感光材料に用いられているような、様々な有機半導体材料を用いることができる。その中でも、高い光電変換性能を有すること、分光する際の色分離に優れていること、長時間の光照射に対する耐久性が高いこと、真空蒸着を行いやすいこと、等の観点から、キナクリドン骨格を含む材料やフタロシアニン骨格を含む有機材料が特に好ましい。
【００２３】
光電変換層を構成する有機材料は、ｐ型有機半導体及びｎ型有機半導体の少なくとも一方を含んでいることが好ましい。光電変換層を有機材料で構成すれば、シリコン基板などに形成したフォトダイオードを光電変換部として用いる構成に比べて、可視光に対する光吸収係数が大きい。このため、光電変換層に入射した光が吸収されやすくなる。この性質によれば、光電変換層に斜めに入射した光も隣接する画素部へ漏れにくくなり、画素部で光電変換されることになり、透過効率の向上とクロストークの抑制を図ることができる。
【００２４】
（絶縁層）
絶縁層は、Ａｌ２Ｏ３、ＳｉＯ２、ＳｉＮ、またはこれらの混合膜などから構成できる。
【００２５】
（カラーフィルタ層）
図３に示すように、カラーフィルタ層ＣＦは、それぞれ異なる波長の光を透過する複数のカラーフィルタを有する。ここでは、カラーフィルタＣＦは赤／青／緑色の顔料、もしくは染料の入った有機材料によるカラーフィルタ１６ｒ、１６ｇ、１６ｂが画素毎に配置されている。各カラーフィルタ間にはカラーフィルタ材料よりも屈折率が小さな透明材料で構成される分離壁が設けられている。カラーフィルタは、それぞれ異なる波長の光を透過するものであり、カラーフィルタ１６ｒは、入射光のうち赤色の波長の光を透過する構成を有するＲ光カラーフィルタとして機能する。
【００２６】
同様にカラーフィルタ１６ｇは、入射光のうち緑色の波長の光を透過する構成を有するＧ光カラーフィルタとして、カラーフィルタ１６ｂは、入射光のうち青色の波長の光を透過する構成を有するＢ光カラーフィルタとして機能する。複数のカラーフィルタ１６ｒ，１６ｇ，１６ｂは、各画素部にいずれか１つが含まれ、画素部の配列に応じてベイヤー配列などのカラーパターンで配列されている。
【００２７】
図４では、一例として、４つの画素部におけるカラーフィルタ１６ｒ，１６ｇ，１６ｂのベイヤー配列を示している。複数のカラーフィルタの配列はこの構成例で説明するものに限定されず、任意に変更可能である。カラーフィルタの屈折率は赤青緑の各色で異なり、また入射光の波長によっても異なるものである。カラーフィルタのいずれも入射光波長（少なくともその可視光域の波長４００ｎｍ〜７００ｎｍ）に対し１．５〜１．８の範囲内の屈折率を有する。
【００２８】
また、それぞれのカラーフィルタの厚みは０．３μｍ〜１．０μｍの範囲内としている。カラーフィルタを互いに分離するための分離壁は、図４に示す平面視においては、略格子状に形成され、各カラーフィルタそれぞれを個別に囲うように形成されている。各カラーフィルタの間隔に相当する分離壁の幅ｔは０．０５μｍ〜０．２μｍの範囲内にあり、その屈折率は１．２２〜１．３４の範囲内にある。分離壁の屈折率は低い程イメージセンサとしての特性は向上するが、あまり低い材料を用いると膜としての脆弱性が問題となることから実効的には１．２８〜１．３０程度の材料を用いることが望ましい。
【００２９】
（低反射層）
低反射層は空気中からカラーフィルタＣＦに光がダイレクトに入射する場合の反射損失を低減するために備えられる。カラーフィルタＣＦに用いる材料の屈折率（例えば、３色のフィルタの屈折率の平均値）をｎｃとした場合、低反射層としては√ｎｃとなる屈折率を有する材料を選択し、層厚は可視光のほぼ中心波長となる５５０ｎｍの１／４膜厚となるようにすればよい。
【００３０】
例えば、本素子の場合ではカラーフィルタＣＦの屈折率が１．５〜１．８であることから１．２８前後の屈折率を有する材料を用い、厚さは５５０／４／１．２８＝１０７ｎｍとなることから、約０．１μｍとすればよい。
【００３１】
本実施形態の電子撮像装置は、以上のように構成されている。本実施形態において電子撮像素子は、一例として基板の上方に光電変換層が積層された積層型撮像素子であるが、この限りではない。
【００３２】
撮像素子は、従来の撮像素子のようなフォトダイオードが形成された基板上に電荷転送路が形成され、その上に平坦化膜などを挟んでカラーフィルタ層が設けられる表面照射型の撮像素子に比べ、カラーフィルタ層と光電変換層との距離ｄを短くすることが可能である。具体的に、距離ｄは、カラーフィルタ層ＣＦの下側面から光電変換層の上側面までの距離である。本撮像素子の構成によれば、距離ｄを３μｍ以下とすることが可能である。
【課題を解決するための手段】
【００３３】
光学系とＬＰＦ、および電子撮像素子を有し、
少なくとも以下の条件式（１）、および（２）を満足する制御手段を有することを特徴とする電子撮像装置
｜α｜＞３０°・・・（１）
０．０５＜｜Ｔｐ−Ｔｓ｜＜０．９０・・・（２）
ここで、αは電子撮像素子とりこみ角度（軸上感度閾値８０％）、Ｔｐ・Ｔｓはそれぞれ撮像素子の対角周辺領域に入射するｄ線の透過Ｐ・Ｓ成分とする。またＰ・Ｓ成分とは、各々入射平面に対して平行、垂直方向に振動する偏光成分をあらわす。
【発明の効果】
【００３４】
本発明によれば、撮影時全長の小型化ができ、モアレなどが少ない電子撮像装置を提供することができる。
【図面の簡単な説明】
【００３５】
【図１】電子撮像装置を説明する図
【図２】光学系のＭＴＦ周波数特性を説明する図
【図３】電子撮像素子を説明する図
【図４】カラーフィルターを説明する図
【図５】本発明の実施形態１のレンズ断面図
【図６】本発明の実施形態２のレンズ断面図
【図７】本発明の実施形態３のレンズ断面図
【図８】本発明の実施形態４のレンズ断面図
【図９】（Ａ）は本発明の実施形態１の広角端における収差図、（Ｂ）は望遠端における収差図
【図１０】（Ａ）は本発明の実施形態２の広角端における収差図、（Ｂ）は望遠端における収差図
【図１１】（Ａ）は本発明の実施形態３の広角端における収差図、（Ｂ）は望遠端における収差図
【図１２】（Ａ）は本発明の実施形態４の広角端における収差図、（Ｂ）は望遠端における収差図
【図１３】本発明の実施形態３のＬＰＦ面に施工した膜特性図
【図１４】本発明の実施形態４のＬＰＦ面に施工した膜特性図
【発明を実施するための形態】
【００３６】
各実施形態について以下に説明するが、電子撮像素子については、先述した撮像素子構成を踏襲する。これにより広い角度を取り込むことができる電子撮像素子を実現することができるものである。
【００３７】
各実施形態の光学系およびＬＰＦについては以下に説明する。各実施形態の断面図において、ＳＰは開口絞り、ＧＢは硝子ブロック、ＩＰは像面でありＣＣＤ等の素子が配置される。
【００３８】
次に各実施形態のズームレンズについて説明する。また、各実施形態１〜４全てのズームレンズについて、広角端、望遠端とはズーミング用のレンズ群が機構上、光軸上を移動可能な範囲の両端に位置したときのズーム位置をいう。
【実施例１】
【００３９】
以下、図５を参照して、本発明の第１の実施形態による光学系（ズームレンズ）について説明する。実施形態１の光学系は、物体側から順に負、正、負の３群ズームレンズである。広角端から望遠端への変倍に際し、第１〜３レンズ群はすべて変倍時に移動する構成となっている。
【００４０】
第１レンズ群の構成については、物体側から順に凹レンズ２枚、および凸レンズの合計３枚構成として、最も物体側に配置された凹メニスカスレンズには非球面を配し、主に像面湾曲などを抑制することができるものである。
【００４１】
第２レンズ群の構成については、凸レンズ２枚、凹レンズ、および凸レンズの合計４枚で構成されており、本例では最も物体側と像側の凸レンズに非球面が採用されており、主に球面、コマ収差を低減することができる。
【００４２】
第３レンズ群の構成については、凸レンズ、および物体側に強い凹面を向けた凹レンズの合計２枚構成としている。
【００４３】
本例では、最も像側に配置された凹レンズについては非球面を採用しており、これによって周辺像高における像面湾曲などを良好に補正することができるものである。
【００４４】
このように、最終（第３）レンズ群と全系望遠端焦点距離比については、それぞれ０．３１（条件式（７））と強い屈折力配置とすることで、変倍時のストロークなどを小さく設計することができる。
【００４５】
これに起因して、特に広角端の最外画角についてのＬＰＦおよび撮像素子に入射する光線角度は下線にて約３７．７°と大きくなっている。
【００４６】
また、前記ズームレンズ（光学系）と電子撮像素子との間には複屈折板であるＬＰＦを配置しており、先の理想レンズで説明したようにＹ断面方向（図５：上下方向）に分離している。
【００４７】
先の、ＬＰＦに対する斜め入射光に起因して、光線分離幅が軸上で設定している所望の分離幅に対して大きくなってしまう懸念がある。本例におけるＬＰＦとしては、厚み０．１４ｍｍのニオブ酸リチウムを想定しており、これによりローパス効果（カットオフ周波数：９５本／ｍｍ）を持たせ、モアレなどによる画質劣化を抑制することができる。
【００４８】
本実施例については、撮像素子の領域毎に偏光子方位を制御することを想定しており、例えば、電子撮像素子の画素上に偏光子を配置しても良い。この場合、特にＬＰＦに対する光学系からの光束が斜入射となる広角端について、偏光子検光方位角は軸上（撮像素子中心）４５°→最周辺像高（撮像素子対角周辺部）３０°などを設定して受光する。これによって、カットオフ周波数に近い８０本／ｍｍにおける最大像高レスポンスを１％→１４％へと持ち上げることができるものである。さらに低周波側ＭＴＦレスポンスも維持することができて、抜けのよい画質を確保できる。
【００４９】
本実施例では、ＰおよびＳ両偏光成分透過率差＝０．４５１（条件式（２））、撮像素子中心と対角最周辺部における光束検光子角度差＝１５°（条件式（６））とすることで軸上から周辺までのＬＰＦによるカットオフ周波数近傍レスポンス低下を抑制することができる。
【００５０】
本実施例では、ＬＰＦ分離をＹ方向２点分離方式としたが、必ずしもこの限りではなく、４点分離としても良い。
【００５１】
なお、本願実施例は以下を満足するような構成としているが、その作用について説明する。
【００５２】
光学系とＬＰＦ、および電子撮像素子を有し、
少なくとも以下の条件式（１）、および（２）を満足する制御手段を有することを特徴としている。
【００５３】
｜α｜＞３０°・・・（１）
０．０５＜｜Ｔｐ−Ｔｓ｜＜０．９０・・・（２）
ここで、αは電子撮像素子とりこみ角度（軸上感度閾値８０％）、Ｔｐ・Ｔｓはそれぞれ撮像素子の対角周辺領域に入射するｄ線の透過Ｐ，Ｓ成分とする。またＰ・Ｓ成分とは、各々入射平面に対して平行、垂直方向に振動する偏光成分をあらわす。
【００５４】
光学系と電子撮像素子との間にＬＰＦを配置することで、光学系の撮像特性のうち高周波特性を落とすことが可能となり、電子撮像素子の画像サンプリングに伴うモアレ現象を低減することができる。
【００５５】
条件式（１）は、電子撮像素子の感度特性を表したものであって、±３０°以内の光線については、感度８０％以上を確保するものである。これによって、光学系が斜入射構成となっても、光束を電子撮像素子に取り込むことができ、光学系を小型化することができる。
【００５６】
条件式（２）は、撮像素子の対角周辺領域に入射する透過Ｐ，Ｓ成分の差を規定したものであって、下限を越えるとＬＰＦに対して斜めに入射する光束によるカットオフ周波数シフトを抑制することができない。逆に上限を超えると、ＬＰＦ効果がなくなってモアレ現象が残存するため好ましくない。望ましくは、以下の条件式（２ａ）範囲を満足することで、より画面周辺部劣化が少ない電子撮像装置を実現することができる。
【００５７】
０．１０＜｜Ｔｐ−Ｔｓ｜＜０．７０・・・（２ａ）
前記制御手段は、高／低屈折率層を交互に複数積層した透過抑制膜であることを特徴としている。
【００５８】
Ｎｈ＞２．０・・・（３）
Ｎｌ＜１．７・・・（４）
条件式（３）（４）は、それぞれ上記積層膜の高／低屈折率層の屈折率を表わしている。条件式（３）（４）範囲を逸脱することで、高低屈折率膜の屈折率差が確保できなくなることから、所望の透過率特性が得ることが難しくなるため好ましくない。
【００５９】
さらに、上記記載の透過抑制膜を構成する層数をＬとしたとき、以下の条件式を満足している。
【００６０】
１５＜Ｌ＜４０・・・（５）
条件式（５）は、膜層数を規定したものであって、下限を超えると所望の透過率特性が得ることが難しくなる。逆に上限を超えると、波長帯域特性にリップル成分が発現しやすく一部波長帯域において透過特性劣化が発生するため好ましくない。望ましくは、以下の条件式（５ａ）範囲を満足することで、より画面周辺部劣化が少ない電子撮像装置を実現することができる。
【００６１】
１８＜Ｌ＜３５・・・（５ａ）
前記制御手段は、電子撮像素子の領域ごとに透過する振動面を制御できる偏光子であることを特徴としている。この場合、ＬＰＦによって分離された光束は偏光特性を有していることを利用して、分離光束を検光することで分離幅を制御することができるものである。
【００６２】
上記記載の偏光子は、撮像素子中心と最周辺部において受光される光束についての検光方位角差Δとしたとき、以下の条件式を満足することを特徴としている。
【００６３】
１０°＜｜Δ｜＜４０°・・・（６）
条件式（６）は、撮像素子中心と最周辺部における光束検光方位角差を表しており、下限を越えるとＬＰＦに対して斜めに入射する光束によるカットオフ周波数シフトを抑制することができない。
【００６４】
逆に上限を超えると、ＬＰＦ効果がなくなってモアレ現象が残存するため好ましくない。望ましくは、以下の条件式（６ａ）範囲を満足することで、より画面周辺部劣化が少ない電子撮像装置を実現することができる。
【００６５】
１２°＜｜Δ｜＜２５°・・・（６ａ）
前記電子撮像装置は光学系を備えており、最終負レンズ群を有し、前記負レンズ群および望遠端焦点距離をそれぞれ、ｆｎ、ｆｔとすると
以下の条件式を満足することを特徴としている。
【００６６】
０．０５＜｜ｆｎ／ｆｔ｜＜０．４０・・・（７）
条件式（７）は、光学系について最終負レンズ群の屈折力を規定したものであって、下限を超えると最終負レンズ群の屈折力が強くなりすぎて、光学系における像面湾曲収差などの補正が困難になる。逆に上限を超えると、光学系を小型化することができなくなる。望ましくは、以下の条件式（７ａ）範囲を満足することで、より高画質な電子撮像装置を実現することができる。
【００６７】
０．２０＜｜ｆｎ／ｆｔ｜＜０．３５・・・（７ａ）
前記光学系に関して、開口絞りは前記最終負レンズ群に隣接して配置されていることを特徴としている。
【００６８】
この構成によれば、ズームレンズなど変倍時、特にテレ端にて変倍レンズ群間における絞りユニット干渉がなくなり変倍レンズ群に隣接する群の間隔を詰めることができるため、小型化もしくは性能を上げる設計が可能となる。
【実施例２】
【００６９】
以下、図６を参照して、本発明の第２の実施形態によるズームレンズについて説明する。実施形態２の光学系は、物体側から順に負、正、負の３群ズームレンズである。実施形態１と同じく、最終（第３）レンズ群と全系望遠端焦点距離比については、それぞれ０．３１（条件式（７））と強い屈折力配置とすることで、変倍時のストロークなどを小さく設計することができる。これに起因して、特に広角端の最外画角についてのＬＰＦおよび撮像素子に入射する光線角度は下線にて約３８．２°と大きくなっている。
【００７０】
また、前記ズームレンズ（光学系）と電子撮像素子との間には複屈折板であるＬＰＦを配置しており、先の理想レンズで説明したようにＹ断面方向に分離している。
【００７１】
先の、ＬＰＦに対する斜め入射光に起因して、光線分離幅が軸上で設定している所望の分離幅に対して大きくなってしまう懸念がある。
【００７２】
本例におけるＬＰＦとしては、厚み１．１５ｍｍのサファイアを想定しており、この複屈折板によりローパス効果（カットオフ周波数：９５本／ｍｍ）を持たせ、モアレなどによる画質劣化を抑制することができる。
【００７３】
本実施例についても、実施例１と同様に撮像素子領域毎に偏光子方位を制御することを想定している。この場合、特にＬＰＦに対する光学系からの光束が斜入射となる広角端について、偏光子検光方位角は軸上（撮像素子中心）４５°→最大像高（撮像素子対角周辺部）２５°などを設定して受光する。これによって、カットオフ周波数に近い８０本／ｍｍにおける最大像高レスポンスを０．２％→１６％へと持ち上げることができるものである。
【００７４】
本実施例では、ＰおよびＳ両偏光成分透過率差＝０．５９４（条件式（２））、撮像素子中心と対角最周辺部における光束検光子角度差＝２０°（条件式（６））とすることで軸上から周辺までのＬＰＦによるカットオフ周波数近傍レスポンス低下を抑制することができる。
【００７５】
その他の点は、実施例１と同じなので詳細説明は割愛する。
【実施例３】
【００７６】
以下、図７を参照して、本発明の第３の実施形態によるズームレンズについて説明する。実施形態３の光学系は、物体側から順に正、負、正、負の４群ズームレンズである。広角端から望遠端への変倍に際し、第１〜４レンズ群はすべて変倍時に移動する構成となっている。第１レンズ群の構成については、物体側から順に凹凸接合レンズからなる。第２レンズ群の構成については、凹レンズ２枚、および凸レンズの合計３枚構成として、最も物体側に配置された凹メニスカスレンズには非球面を配し、主に像面湾曲などを抑制することができるものである。
【００７７】
第３レンズ群の構成については、凸レンズ２枚、凹レンズ、および凸レンズの合計４枚で構成されており、本例では第３レンズ群を構成する凸レンズ全てに非球面が採用されており、主に球面、コマ収差を低減することができる。
【００７８】
第４レンズ群の構成については、凸レンズ、および物体側に強い凹面を向けた凹レンズの合計２枚構成としている。本例では、最も像側に配置された凹レンズについては非球面を採用しており、これによって周辺像高における像面湾曲などを良好に補正することができるものである。
【００７９】
このように、最終（第４）レンズ群と全系望遠端焦点距離比については、それぞれ０．２５（条件式（７））と強い屈折力配置とすることで、変倍時のストロークなどを小さく設計することができる。これに起因して、特に広角端の最外画角についてのＬＰＦおよび撮像素子に入射する光線角度は下線にて約４０．６°と大きくなっている。
【００８０】
また、前記ズームレンズ（光学系）と電子撮像素子との間には複屈折板であるＬＰＦを配置しており、先の理想レンズで説明したようにＹ断面方向に分離している。先の、ＬＰＦに対する斜め入射光に起因して、光線分離幅が軸上で設定している所望の分離幅に対して大きくなってしまう懸念がある。本例におけるＬＰＦとしては、厚み１．１５ｍｍのサファイアを想定しており、この複屈折板によりローパス効果（カットオフ周波数：９５本／ｍｍ）を持たせ、モアレなどによる画質劣化を抑制することができる。
【００８１】
本実施例については、ＬＰＦ両面に透過率制御膜を施工している。透過特性としては、軸上から軸外など斜め入射光になるほど偏光透過特性差がつく偏光ビームスプリッタのような特性が望ましい。参考として、本実施例における膜構成および４５°入射時における透過率特性を図１３に示す。
【００８２】
【表１】
2018189868.tif 000003
【００８３】
先にＬＰＦの空気界面の両面に施工としたが、片面施工でも良い。またＬＰＦ以外のレンズ面などへの施工も考えられるが、なるべく平面に近い面を選択した方が入射角度差を利用できるので好ましい。上記膜例の特性によって、カットオフ周波数に近い８０本／ｍｍにおける最大像高レスポンスを２．８％→１２％へと持ち上げることができるものである。これによって、低周波側ＭＴＦレスポンスも維持することができて、抜けのよい画質を確保できる。
【００８４】
本実施例では、ＰおよびＳ両偏光成分透過率差＝０．１１０（条件式（２））とすることで軸上から周辺までのＬＰＦによるカットオフ周波数近傍レスポンス低下を抑制することができる。透過率制御膜については、高低屈折率膜の屈折率をそれぞれ、２．３０（条件式（３））、および１．３８（条件式（４））および、層数＝３１（条件式（５））としている。本実施例では、ＬＰＦ分離をＹ方向２点分離方式としたが、必ずしもこの限りではなく、４点分離としても良い。
【実施例４】
【００８５】
以下、図８を参照して、本発明の第４の実施形態によるズームレンズについて説明する。実施形態４の光学系は、物体側から順に正、負、正、負の４群ズームレンズである。実施形態３と同じく、最終（第４）レンズ群と全系望遠端焦点距離比については、それぞれ０．２５（条件式（７））と強い屈折力配置とすることで、変倍時のストロークなどを小さく設計することができる。これに起因して、特に広角端の最外画角についてのＬＰＦおよび撮像素子に入射する光線角度は下線にて約４０．５°と大きくなっている。
【００８６】
また、前記ズームレンズ（光学系）と電子撮像素子との間には複屈折板であるＬＰＦを配置しており、先の理想レンズで説明したようにＹ断面方向に分離している。先の、ＬＰＦに対する斜め入射光に起因して、光線分離幅が軸上で設定している所望の分離幅に対して大きくなってしまう懸念がある。
【００８７】
本例におけるＬＰＦとしては、厚み０．２７ｍｍのチタン酸バリウムを想定しており、この複屈折板によりローパス効果（カットオフ周波数：９５本/ｍｍ）を持たせ、モアレなどによる画質劣化を抑制することができる。本実施例についても、ＬＰＦ両面に透過率制御膜を施工している。透過特性としては、軸上から軸外など斜め入射光になるほど偏光透過特性差がつく偏光ビームスプリッタのような特性が望ましい。参考として、本実施例における膜構成および４５°入射時における透過率特性を図１４に示す。
【００８８】
【表２】
2018189868.tif 000004
【００８９】
先にＬＰＦの空気界面の両面に施工としたが、片面施工でも良い。またＬＰＦ以外のレンズ面などへの施工も考えられるが、なるべく平面に近い面を選択した方が入射角度差を利用できるので好ましい。上記膜例の特性によって、カットオフ周波数に近い８０本／ｍｍにおける最大像高レスポンスを５．２％→１４．７％へと持ち上げることができるものである。
【００９０】
本実施例では、ＰおよびＳ両偏光成分透過率差＝０．１１０（条件式（２））とすることで軸上から周辺までのＬＰＦによるカットオフ周波数近傍レスポンス低下を抑制することができる。透過率制御膜については、高低屈折率膜の屈折率をそれぞれ、２．１２（条件式（３））、および１．６５（条件式（４））および、層数＝２１（条件式（５））としている。その他の点は、実施例３と同じなので詳細説明は割愛する。
【００９１】
以上、本発明の好ましい実施形態について説明したが、本発明はこれらの実施形態に限定されず、その要旨の範囲内で種々の変形及び変更が可能である。例えば、実施形態１〜４全てのズームレンズは、変倍時のＦ値変動を低減するために開口絞り制御を行なってもよい。また受光面上に形成された光学像を電気信号に変換する撮像素子を備えた撮像装置と組み合わせた場合などには歪曲収差量によっては電気的な補正を加えても良い。
【００９２】
次に、各実施形態におけるデータを以下に示す。ｉは物体面からの面の順序を示し、ｒｉはレンズ面の曲率半径、ｄｉは第ｉ面と第ｉ＋１面との間のレンズ肉厚および空気間隔、ｎｉ，ｖｉはそれぞれｄ線に対する屈折率およびアッベ数を表す。また、非球面に記載されている、ｋ，Ａ，Ｂ，Ｃ，Ｄ，Ｅなどは非球面係数である。非球面形状は光軸からの高さｈの位置での光軸方向の変位を、面頂点を基準にしてｘとするとき以下の式で定義される。
【００９３】
ｘ＝（ｈ２／Ｒ）／［１＋｛１−（１＋ｋ）（ｈ／Ｒ）２｝１／２］
＋Ａｈ４＋Ｂｈ６＋Ｃｈ８＋Ｄｈ１０＋Ｅｈ１２
ただし、ここでＲは曲率半径である。
【００９４】
（数値実施例１）
単位 mm
面データ
面番号       r        d      nd         vd       有効径
1*        26.718    0.99   1.85400    40.4       18.55
2         15.503    4.09                         16.60
3        -26.417    0.88   1.88300    40.8       16.27
4         54.420    0.10                         16.07
5         28.348    2.04   1.92286    18.9       16.15
6        240.390  (可変)                         15.93
7*        26.448    2.17   1.69350    53.2       11.93
8        -47.019    0.10                         12.03
9         19.469    2.93   1.48749    70.2       11.97
10        -23.398    0.70   1.91082    35.3       11.67
11         20.510    1.15                         11.52
12         16.437    4.40   1.48749    70.2       12.16
13*       -11.440    1.17                         12.17
14(絞り)    ∞     (可変)                         10.39
15        -36.147    3.30   1.74077    27.8       11.27
16        -16.579    1.67                         11.85
17*        -7.662    0.82   1.69350    53.2       11.81
18*       -57.523  (可変)                         13.57
19          ∞       0.14   2.30020    18.7       50.20
20          ∞       4.71                         50.20
像面        ∞   
非球面データ
第1面
K =-1.29774e+000  A 4=-7.05861e-006  A 6=-4.83630e-008  A 8=-5.20765e-010  A10= 2.54369e-012  
第7面
K =-1.29124e+001  A 4=-3.51337e-006  A 6=-1.02725e-006  A 8=-5.38964e-009  
第13面
K =-3.51275e-001  A 4= 1.42899e-005  A 6=-2.04340e-007  A 8= 5.27690e-009  
第17面
K = 1.01134e-001  A 4= 1.07843e-004  A 6= 3.63209e-006  A 8=-4.67839e-008  A10= 2.56149e-009  
第18面
K = 0.00000e+000  A 4=-4.22398e-005  A 6=-1.08925e-007  A 8= 2.17993e-008  A10=-1.70856e-010  
各種データ
ズーム比      3.36 
広角     中間     望遠
焦点距離      18.30    47.11    61.50  
Fナンバー      2.68     5.44     6.82  
画角          32.39    16.17    12.52  
像高          11.61    13.66    13.66  
レンズ全長    56.06    63.50    70.90  
BF             4.71     4.71     4.71  
d 6           12.65     2.03     0.44  
d14            7.11     7.07     7.08  
d18            4.95    23.05    32.03  
入射瞳位置    15.71    13.29    12.82  
射出瞳位置   -12.33   -30.41   -39.40  
前側主点位置  14.37    -2.79   -11.43  
後側主点位置 -13.59   -42.40   -56.79  
ズームレンズ群データ
群  始面    焦点距離  レンズ構成長  前側主点位置  後側主点位置
L1    1     -22.59         8.10         2.78         -3.40
L2    7      15.04        12.61         4.82         -5.79
L3   15     -19.30         5.79         3.41         -0.51
LPF   19       ∞           0.14         0.03         -0.03
単レンズデータ
レンズ  始面  焦点距離
1       1    -45.09
2       3    -20.04
3       5     34.66
4       7     24.71
5       9     22.30
6      10    -11.91
7      12     14.59
8      15     38.57
9      17    -12.83
10      19      0.00
（数値実施例２）
単位 mm
面データ
面番号       r        d      nd         vd       有効径
1*        26.729    0.99   1.85400    40.4       18.50
2         15.528    4.10                         16.56
3        -25.938    0.88   1.88300    40.8       16.23
4         57.128    0.10                         16.03
5         28.837    2.03   1.92286    18.9       16.11
6        263.336  (可変)                         15.89
7*        26.455    2.16   1.69350    53.2       11.89
8        -47.266    0.10                         11.99
9         19.323    2.93   1.48749    70.2       11.93
10        -23.437    0.70   1.91082    35.3       11.64
11         20.401    1.10                         11.48
12         16.316    4.37   1.48749    70.2       12.10
13*       -11.496    1.17                         12.11
14(絞り)    ∞     (可変)                         10.35
15        -36.546    2.94   1.74077    27.8       11.32
16        -16.453    1.66                         11.82
17*        -7.662    0.82   1.69350    53.2       11.78
18*       -60.946  (可変)                         13.55
19          ∞       1.15   1.76817    72.3       50.20
20          ∞       4.03                         50.20
像面        ∞   
非球面データ
第1面
K =-1.25401e+000  A 4=-6.78944e-006  A 6=-4.90084e-008  A 8=-4.74178e-010  A10= 2.22582e-012  
第7面
K =-1.29332e+001  A 4=-3.51337e-006  A 6=-1.02725e-006  A 8=-5.26211e-009  
第13面
K =-3.49003e-001  A 4= 1.35166e-005  A 6=-2.17196e-007  A 8= 5.41737e-009  
第17面
K = 1.04117e-001  A 4= 1.07843e-004  A 6= 3.63209e-006  A 8=-4.67839e-008  A10= 2.56149e-009  
第18面
K = 0.00000e+000  A 4=-4.07872e-005  A 6=-8.17994e-008  A 8= 2.09540e-008  A10=-1.67184e-010  
各種データ
ズーム比      3.36 
広角     中間     望遠
焦点距離      18.30    47.10    61.50  
Fナンバー      2.68     5.45     6.83  
画角          32.39    16.17    12.52  
像高          11.61    13.66    13.66  
レンズ全長    56.06    63.50    70.90  
BF             4.03     4.03     4.03  
d 6           12.55     2.02     0.44  
d14            7.32     7.24     7.23  
d18            4.97    23.03    32.01  
d20            4.03     4.03     4.03  
入射瞳位置    15.67    13.24    12.77  
射出瞳位置   -12.90   -30.92   -39.90  
前側主点位置  14.19    -3.12   -11.81  
後側主点位置 -14.27   -43.06   -57.47  
ズームレンズ群データ
群  始面    焦点距離  レンズ構成長  前側主点位置  後側主点位置
L1    1     -22.61         8.09         2.77         -3.41
L2    7      15.04        12.53         4.72         -5.77
L3   15     -19.32         5.41         3.32         -0.41
LPF   19       ∞           1.15         0.33         -0.33
単レンズデータ
レンズ  始面  焦点距離
1       1    -45.23
2       3    -20.10
3       5     34.94
4       7     24.76
5       9     22.22
6      10    -11.88
7      12     14.59
8      15     38.03
9      17    -12.72
10      19      0.00
（数値実施例３）
単位 mm
面データ
面番号       r        d      nd         vd       有効径
1         83.802    1.52   1.95906    17.5       41.50
2         68.984    5.01   1.59282    68.6       40.69
3       -455.147  (可変)                         40.15
4*      -383.342    1.10   1.85400    40.4       27.84
5*        27.372    5.25                         24.24
6        -39.169    0.76   1.77250    49.6       24.01
7         73.916    0.10                         24.03
8         41.806    3.17   1.95906    17.5       24.28
9        537.725  (可変)                         24.04
10          ∞     (可変)                         18.12
11          ∞     (可変)                         19.50
12*        62.359    1.54   1.85400    40.4       18.09
13        510.481    0.17                         18.02
14*        17.431    5.72   1.55332    71.7       17.94
15        -25.308    0.17                         17.69
16         35.087    0.68   2.00069    25.5       15.71
17         15.528    8.25                         14.73
18        244.982    2.52   1.49710    81.6       13.71
19*       -14.864    1.69                         13.59
20(絞り)    ∞     (可変)                         11.29
21       -794.640    3.65   1.72825    28.5       13.25
22        -14.176    0.52                         13.56
23*       -11.104    0.68   1.85400    40.4       13.44
24*        39.981  (可変)                         14.41
25          ∞       1.15   1.76817    72.3       49.71
26          ∞       6.54                         49.71
像面        ∞   
非球面データ
第4面
K = 0.00000e+000  A 4=-1.34262e-005  A 6= 6.03700e-008  A 8=-8.08291e-011  A10= 1.04394e-014  
第5面
K = 1.01039e+000  A 4=-1.25183e-005  A 6= 3.80336e-008  A 8= 1.92085e-011  A10= 7.71512e-013  
第12面
K =-2.22238e+001  A 4=-6.16775e-005  A 6=-8.49737e-008  A 8=-4.66501e-010  
第14面
K =-1.58624e-001  A 4= 2.68609e-005  A 6=-1.61353e-007  A 8=-7.59830e-010  
第19面
K =-9.18859e-001  A 4= 1.99497e-005  A 6=-2.13510e-007  A 8= 5.10659e-009  A10=-5.02247e-011  
第23面
K =-9.03722e-001  A 4= 4.13018e-005  A 6=-2.33457e-006  A 8= 5.40542e-008  A10=-4.74604e-010  
第24面
K = 3.92793e+000  A 4= 4.74399e-006  A 6=-1.73814e-006  A 8= 4.07225e-008  A10=-3.05118e-010  
各種データ
ズーム比      5.01 
広角     中間     望遠
焦点距離      17.55    49.54    87.90  
Fナンバー      2.06     4.00     6.00  
画角          34.10    15.42     8.83  
像高          11.88    13.66    13.66  
レンズ全長    80.77   100.19   122.04  
BF             6.54     6.54     6.54  
d 3            0.70    21.46    36.17  
d 9           21.78     5.74     0.45  
d10           -5.07    -2.54     0.00  
d11            5.07     2.54     0.00  
d20            6.69     5.39     5.07  
d24            1.40    17.40    30.17  
d26            6.54     6.54     6.54  
入射瞳位置    28.50    63.58   100.16  
射出瞳位置    -8.61   -23.98   -36.57  
前側主点位置  25.73    32.70     8.82  
後側主点位置 -11.01   -43.00   -81.36  
ズームレンズ群データ
群  始面    焦点距離  レンズ構成長  前側主点位置  後側主点位置
L1    1     134.26         6.53         0.13         -3.81
L2    4     -22.83        10.38         1.54         -6.29
SSP1   10       ∞           0.00         0.00         -0.00
SSP2   11       ∞           0.00         0.00         -0.00
L3   12      20.00        20.74         9.76        -12.72
L4   21     -21.98         4.85         3.37          0.34
LPF   25       ∞           1.15         0.33         -0.33
単レンズデータ
レンズ  始面  焦点距離
1       1   -428.33
2       2    101.41
3       4    -29.88
4       6    -33.04
5       8     47.12
6      12     83.05
7      14     19.59
8      16    -28.33
9      18     28.28
10      21     19.78
11      23    -10.11
12      25      0.00
（数値実施例４）
単位 mm
面データ
面番号       r        d      nd         vd       有効径
1         87.592    1.52   1.95906    17.5       41.20
2         71.741    4.89   1.59282    68.6       40.42
3       -412.996  (可変)                         39.90
4*      -354.609    1.10   1.85400    40.4       27.81
5*        27.583    5.19                         24.25
6        -39.284    0.76   1.77250    49.6       24.05
7         75.009    0.10                         24.09
8         41.797    3.17   1.95906    17.5       24.35
9        526.549  (可変)                         24.11
10          ∞     (可変)                         18.25
11          ∞     (可変)                         19.62
12*        62.393    1.53   1.85400    40.4       18.22
13        491.628    0.17                         18.16
14*        17.506    5.76   1.55332    71.7       18.07
15        -25.280    0.17                         17.70
16         35.567    0.68   2.00069    25.5       15.73
17         15.680    8.37                         14.75
18        234.522    2.52   1.49710    81.6       13.69
19*       -14.881    1.69                         13.58
20(絞り)    ∞     (可変)                         11.27
21       -398.734    3.69   1.72825    28.5       13.25
22        -14.080    0.52                         13.58
23*       -11.054    0.68   1.85400    40.4       13.46
24*        41.634  (可変)                         14.45
25          ∞       0.27   2.42727    12.3       49.71
26          ∞       6.63                         49.71
像面        ∞   
非球面データ
第4面
K = 0.00000e+000  A 4=-1.34460e-005  A 6= 5.97995e-008  A 8=-8.43400e-011  A10= 2.44499e-014  
第5面
K = 1.02075e+000  A 4=-1.22710e-005  A 6= 3.80330e-008  A 8= 1.43361e-011  A10= 7.41545e-013  
第12面
K =-2.21827e+001  A 4=-6.15826e-005  A 6=-8.32863e-008  A 8=-4.76764e-010  
第14面
K =-1.51256e-001  A 4= 2.71009e-005  A 6=-1.60274e-007  A 8=-7.51866e-010  
第19面
K =-9.26979e-001  A 4= 2.02638e-005  A 6=-2.04224e-007  A 8= 4.98395e-009  A10=-4.87557e-011  
第23面
K =-8.92278e-001  A 4= 4.01234e-005  A 6=-2.29195e-006  A 8= 5.33383e-008  A10=-4.71650e-010  
第24面
K = 4.06251e+000  A 4= 4.97579e-006  A 6=-1.69197e-006  A 8= 3.98466e-008  A10=-2.99586e-010  
各種データ
ズーム比      4.99 
広角     中間     望遠
焦点距離      17.53    49.12    87.54  
Fナンバー      2.06     4.00     6.00  
画角          34.13    15.54     8.87  
像高          11.88    13.66    13.66  
レンズ全長    80.44   100.01   122.04  
BF             6.63     6.63     6.63  
d 3            0.70    21.76    36.26  
d 9           21.85     5.80     0.45  
d10           -5.07    -2.54     0.00  
d11            5.07     2.54     0.00  
d20            6.70     5.44     5.13  
d24            1.79    17.60    30.81  
d26            6.63     6.63     6.63  
入射瞳位置    28.38    63.55    98.78  
射出瞳位置    -8.49   -23.69   -36.73  
前側主点位置  25.58    33.10     9.56  
後側主点位置 -10.90   -42.49   -80.92  
ズームレンズ群データ
群  始面    焦点距離  レンズ構成長  前側主点位置  後側主点位置
L1    1     137.27         6.41         0.22         -3.65
L2    4     -22.98        10.33         1.51         -6.27
SSP1   10       ∞           0.00         0.00         -0.00
SSP2   11       ∞           0.00         0.00         -0.00
L3   12      20.05        20.88         9.90        -12.82
L4   21     -21.89         4.88         3.32          0.28
LPF   25       ∞           0.27         0.06         -0.06
単レンズデータ
レンズ  始面  焦点距離
1       1   -433.74
2       2    103.49
3       4    -29.93
4       6    -33.28
5       8     47.19
6      12     83.54
7      14     19.63
8      16    -28.51
9      18     28.24
10      21     19.96
11      23    -10.17
12      25      0.00
以下に各数値実施例の条件式の値を示す。
【００９５】
【表３】
2018189868.tif 000005
【符号の説明】
【００９６】
Ｌ１  第１レンズ群、Ｌ２  第２レンズ群、Ｌ３  第３レンズ群、
Ｌ４  第４レンズ群、ＩＰ  像面、ＳＰ  開口絞り、ＳＳＰ  副絞り、
ＬＰＦ  ローパスフィルタ、Ｓ  サジタル像面、Ｍ  メリディオナル像面、
ｇ  ｇ線、１００  電子撮像装置、１０１  理想レンズ、１０２  複屈折板（LPF）、
１０  電子撮像素子、１１  半導体回路基板、１２  画素電極、１３  光電変換膜、
１４  共通電極、１５  絶縁層、１６  カラーフィルター（ｒ、ｇ、ｂは色別）、
１７  分離壁、１８  低反射層、１  ｎ型シリコン基板、２  ｐ型ウェル領域、
３  不純物拡散領域、４  信号読み出し部、５  絶縁層、６  接続部
【図１】
2018189868.tif 000006
【図２】
2018189868.tif 000007
【図３】
2018189868.tif 000008
【図４】
2018189868.tif 000009
【図５】
2018189868.tif 000010
【図６】
2018189868.tif 000011
【図７】
2018189868.tif 000012
【図８】
2018189868.tif 000013
【図９】
2018189868.tif 000014
【図１０】
2018189868.tif 000015
【図１１】
2018189868.tif 000016
【図１２】
2018189868.tif 000017
【図１３】
2018189868.tif 000018
【図１４】
2018189868.tif 000019